(57)【要約】【課題】手摺枠の枠組足場からの脱落を確実に防止することができ、また枠組足場のコーナー部などに対しても容易に手摺が設置できる手摺枠を提供する。【解決手段】手摺枠１、１´の幅方向の中央部には、建枠Ｂの脚柱Ｃを左右両側より覆うように挟持して脚柱Ｃに沿って昇降自在とする一対の鼓形のガイドローラ４を、上下方向に所定間隔をおいて複数組備える。また、各ガイドローラ４の内側端部には、手摺枠１、１´を昇降する際にガイドローラ４の端部と建枠の横架材Ｄとが干渉し合うのを回避する溝部５を形成する。このように、ごくシンプルな装置構成ながら、手摺枠１、１´と枠組足場Ａとは常に十分な係止力によって確実に係止され、間違ってもガイドローラ４が外れて脱落してしまうようなおそれはない。【選択図】  図６
2004225253.tif 000002
【特許請求の範囲】
【請求項１】
建枠を上方向並びに水平方向に所望数配置して組み上げる枠組足場の側面に設置する枠組足場用手摺枠であって、手摺枠の幅方向の中央部には、建枠の脚柱を左右両側より覆うように挟持して脚柱に沿って昇降自在とする一対の鼓形のガイドローラを、上下方向に所定間隔をおいて複数組備えると共に、前記各ガイドローラの内側端部には、手摺枠を昇降する際にガイドローラの端部と建枠の横架材とが干渉し合うのを回避する溝部を形成する一方、ガイドローラの上位または下位には、建枠の横架材へ係脱自在に係止する係止手段を備えたことを特徴とする枠組足場用手摺枠。
【請求項２】
前記手摺枠は、隣接する建枠間の長さの略半分程度の幅を有する枠体を一対連設すると共に、各枠体同士を前記一対のガイドローラをそれぞれ回動自在に支持する支持材により所定角度にて連結固定してなることを特徴とする請求項１記載の枠組足場用手摺枠。
【請求項３】
前記ガイドローラには、手摺枠を昇降する際に前記溝部の開口位置を建枠の横架材と合致させるように保持させる溝位置保持手段を備えたことを特徴とする請求項１または２記載の枠組足場用手摺枠。
【発明の詳細な説明】
【０００１】
【発明の属する技術分野】
本発明は、土木、建築などの工事現場において、建築物の外壁などに沿って設置する枠組足場に取り付けられる手摺枠に関する。
【０００２】
【従来の技術】
土木、建築などの工事現場においては、建枠を上方向並びに水平方向に所望数配置して枠組足場を構築する。この枠組足場の組み立て、解体作業時には、作業員は最上段の足場の上に乗って専ら作業を行うこととなり、その際には周囲に安全のための柱や手摺などが無いことがあり、恐怖感を憶えると共に、転落などの危険も大きいという問題があった。
【０００３】
そこで、こうした危険を解消するために、例えば、特開平７−２７９４０４号公報では、上段の足場の組み立てに先だって上方に移動させることができる手摺枠（墜落防止用ガード）が示されている。この手摺枠を図１９乃至図２２に基づいて簡単に説明すると、枠組足場Ａは、脚柱Ｃと横架材Ｄとからなる門形状の建枠Ｂを上方向並びに水平方向に配置し、隣接する建枠Ｂ間に足場板Ｅと筋交いＦとを掛け渡して構成されており、この隣設する建枠Ｂの脚柱Ｃ間に枠体状の手摺である手摺枠１０１が配置されている。この手摺枠１０１の両側部には建枠Ｂの脚柱Ｃに係合させてガイドローラ１０２を備えており、作業者が手摺枠１０１を上下方向に押し上げたり引き下げたりすれば建枠Ｂの脚柱Ｃに沿って手摺枠１０１を昇降できるようにしている。また、手摺枠１０１の両側端部にはストッパ１０３を備えており、該ストッパ１０３を建枠Ｂの横架材Ｄに係止させて手摺枠１０１を支持するようにしている。
【０００４】
前記ストッパ１０３の構造をもう少し詳細に説明すると、ストッパ１０３は、図２２に示すように、係止片１０４を手摺枠１０１の枠体１０５に対して上下方向に回動自在に軸着してあり、係止片１０４には建枠Ｂの横架材Ｄに係止する係止溝１０６を形成すると共に、係止片１０４の内端部とガイドローラ１０２を構成する部材とをバネ体１０７にて連結し、通常は係止片１０４が水平状態を保つように付勢させている。
【０００５】
そして、手摺枠１０１を押し上げるときには、係止片１０４が建枠Ｂの横架材Ｄに接触すると、図２２の二点鎖線で示すように、係止片１０４は下方へ回動して横架材Ｄを回避し、係止片１０４が横架材Ｄ位置を完全に通り過ぎると、バネ体１０７の付勢力によって係止片１０４は元の水平状態に復帰し、そのまま手摺枠１０１を降ろせば係止片１０４が横架材Ｄに係止されて手摺枠１０１が支持される。
【０００６】
一方、手摺枠１０１を引き下げるときには、手摺枠１０１を若干押し上げて係止片１０４の横架材Ｄへの係止を解除した後、係止片１０４を手にとって下方に回動させた状態で手摺枠１０１を引き下げていき、係止片１０４が横架材Ｄ位置を通り過ぎてから係止片１０４から手を離せば、バネ体１０７の付勢力によって係止片１０４が元の水平状態に復帰し、そのまま手摺枠１０１を降ろせば下段の建枠Ｂの横架材Ｄに係止されて手摺枠１０１が支持される、といった構造としている。
【０００７】
そして、枠組足場の組み立て時には、作業者は、下段の足場にいながら手摺枠１０１を建枠Ｂの脚柱Ｃに沿って押し上げて上段位置まで上昇させる。このとき、前記したストッパ１０３の機能により、手摺枠１０１を建枠Ｂの横架材Ｄに係止させ、最上段の足場板Ｅの側部に手摺枠１０１を配置して安全を確保した後、最上段の足場板Ｅの上に立って上段の足場の組み立てを行う。また、枠組足場の解体時には、作業者は、最上段の足場板Ｅの上に立って手摺枠１０１を残したまま周囲の建枠Ｂを解体し、手摺枠１０１をそのままにして下段の足場に降り、前記要領に従ってストッパ１０３の係止片１０４の係止を解除し、手摺枠１０１を建枠Ｂの脚柱Ｃに沿って引き下げ、下段の足場板Ｅの側部に手摺枠１０１を配置した後、上方の足場板Ｅを解体する。
【０００８】
したがって、枠組足場Ａの組み立てや解体時に、手摺枠１０１を建枠Ｂの脚柱Ｃに沿って昇降させながら最上段の足場板Ｅ側部に常に手摺枠１０１を配置させた上で作業を行えるので、安全に組み立てや解体作業を行うことができる。
【０００９】
【発明が解決しようとする課題】
しかしながら、上記従来例の手摺枠１０１は、建枠Ｂの脚柱Ｃに沿って昇降させる際においては、手摺枠１０１両サイドに位置する各脚柱Ｃの内側面へ、手摺枠１０１両端部の各ガイドローラ１０２をそれぞれ押し当てて係合させているだけなので、ちょっとしたはずみでガイドローラ１０２が脚柱Ｃから外れてしまいかねず、最悪の場合、枠組足場Ａから地上へと脱落するおそれも考えられる。また、従来例の手摺枠１０１では、手摺枠１０１の設置対象としてあくまでも枠組足場Ａの長手側の側面のみを想定しているため、枠組足場Ａのコーナー部などでは手摺が無い箇所が生じて作業安全上問題であった。また、これに対処するため、別途鋼管などで手摺を設けることもできるが、甚だ面倒で非常に非能率的である。
【００１０】
本発明は上記の点に鑑み、手摺枠の枠組足場からの脱落を確実に防止することができ、また枠組足場のコーナー部などに対しても容易に手摺が設置できる手摺枠を提供することを課題とする。
【００１１】
【課題を解決するための手段】
本発明は上記の課題を解決するために、請求項１記載の枠組足場用手摺枠にあっては、建枠を上方向並びに水平方向に所望数配置して組み上げる枠組足場の側面に設置する枠組足場用手摺枠であって、手摺枠の幅方向の中央部には、建枠の脚柱を左右両側より覆うように挟持して脚柱に沿って昇降自在とする一対の鼓形のガイドローラを、上下方向に所定間隔をおいて複数組備えると共に、前記各ガイドローラの内側端部には、手摺枠を昇降する際にガイドローラの端部と建枠の横架材とが干渉し合うのを回避する溝部を形成する一方、ガイドローラの上位または下位には、建枠の横架材へ係脱自在に係止する係止手段を備えたことを特徴としている。
【００１２】
また、請求項２記載の枠組足場用手摺枠にあっては、前記手摺枠は、隣接する建枠間の長さの略半分程度の幅を有する枠体を一対連設すると共に、各枠体同士を前記一対のガイドローラをそれぞれ回動自在に支持する支持材により所定角度にて連結固定してなることを特徴としている。
【００１３】
また、請求項３記載の枠組足場用手摺枠にあっては、前記ガイドローラには、手摺枠を昇降する際に前記溝部の開口位置を建枠の横架材と合致させるように保持させる溝位置保持手段を備えたことを特徴としている。
【００１４】
【発明の実施の形態】
本発明に係る請求項１記載の枠組足場用手摺枠によれば、枠組足場に設置した手摺枠を下段から上段へ、或いは上段から下段へ移設するときには、先ず、係止手段による建枠の横架材への係止を解除した後、手摺枠を建枠の脚柱に沿って昇降させる。このとき、手摺枠は、一対の鼓形のガイドローラが一本の脚柱を両側面から覆うように挟持した状態で昇降するため、脚柱への係止は確実になされ、昇降の途中にガイドローラが脚柱から外れてしまうことはなく、したがって手摺枠が枠組足場より脱落するようなおそれはない。一方、手摺枠のガイドローラが建枠の横架材位置に差し掛かると、ガイドローラの内側端部に予め形成している溝部へ横架材が嵌り込んでガイドローラ端部と横架材との干渉は回避されるため、昇降の途中に一旦ガイドローラの係止力を緩めるような操作も必要とせずにそのままの状態で手摺枠の昇降を可能としている。そして、手摺枠を所定位置まで昇降させた後、係止手段を復帰させて再び建枠の横架材へと係止させ、手摺枠の移設を完了する。
【００１５】
このように、手摺枠を昇降させるときのように、手摺枠と枠組足場との係止がガイドローラの係止力だけによる場合であっても、手摺枠と枠組足場とは確実に係止され、間違ってもガイドローラが外れて脱落してしまうようなおそれはない。また、その装置構成も、一対の鼓形のガイドローラからなるごくシンプルなものであるので、コスト的にも有利である。更に、そのガイドローラには、建枠の横架材回避用の溝部を形成させており、ガイドローラを脚柱から外すことなく横架材位置を通過可能としているため、昇降中の脱落の危険性もなく、従来の手摺枠と比較しても何ら遜色なく能率の良い昇降作業を可能としている。
【００１６】
また、請求項２記載の枠組足場用手摺枠によれば、一対の枠体を連設した上で、ガイドローラ支持用の支持材により各枠体同士を所定角度にて連結して手摺枠を構成するようにしたので、例えば、枠組足場の長手側の側面のみに手摺を設置する場合には、各枠体を一直線状に連設した状態で連結したものを採用すれば良く、また枠組足場のコーナー部に亘って手摺を設置する場合には、各枠体を略Ｌ字形状に連設した状態で連結したものを採用すれば良い。
【００１７】
このように、枠組足場の長手側の側面に対してだけでなく、枠組足場のコーナー部などといった、従来であれば別途鋼管などでいちいち設置しない限り手摺の無かった箇所に対しても容易に手摺を設置することができ、作業能率を低下させることなく作業安全性の向上を図ることができる。
【００１８】
また、請求項３記載の枠組足場用手摺枠によれば、回動自在としたガイドローラには、例えば、適宜箇所に重りを固着するなどして、ガイドローラの溝部の開口位置を建枠の横架材と合致するように予め調整しておく。そして、手摺枠の昇降の際には、ガイドローラは回動せずに、溝部の開口位置を横架材と合致する位置へ保持させたまま建枠の脚柱に沿って摺動していく。そして、ガイドローラが横架材位置へ差し掛かると、溝部へ横架材が自然に嵌り込み、ガイドローラ端部と横架材との干渉は回避される。
【００１９】
このように、手摺枠の昇降に伴ってガイドローラが回動することなく、ガイドローラに形成した溝部の開口位置が建枠の横架材と合致する方向を向き続けるように構成したので、ガイドローラが横架材位置を通過するときに、回動のタイミングが悪くてガイドローラの溝部以外の突出部が横架材と突っかかってしまうようなおそれがなく、確実に横架材を溝部へと案内し、常にスムーズに手摺枠を昇降させることができる。
【００２０】
【実施例】
以下、本発明の実施例を図１乃至図１８に基づいて説明する。
【００２１】
図１乃至図６は本発明に係る手摺枠１、１´を枠組足場Ａに取り付けた状態を説明する図であって、枠組足場Ａは、対向して立設した一対の建枠Ｂと、これら建枠Ｂの脚柱Ｃ同士を連結する筋交いＦ、及び建枠Ｂの横架材Ｄ間に架設する足場板Ｅとから成り、これを上方向並びに水平方向に所望数を設置して構成している。そして、手摺枠１、１´は前記枠組足場Ａの側面に昇降自在に取り付けている。
【００２２】
手摺枠１、１´は、アルミ製の複数の水平管と垂直管とを連結して隣接する建枠Ｂ間の長さの略半分程度の幅に形成した一対の枠体２ａ、２ｂを連設し、各枠体２ａ、２ｂ同士を連結部材である複数の支持材３にて連結固定してなるものである。ここで、手摺枠１の方は枠組足場Ａの長手側の側面用のものであって、各枠体２ａ、２ｂを一直線状に連設した状態で支持材３にて連結して構成している一方、手摺枠１´の方は枠組足場Ａのコーナー部に亘る側面用のものであって、各枠体２ａ、２ｂを、図５に示すように、枠組足場Ａのコーナー部に沿うように略Ｌ字形状に連設した状態で支持材３にて連結して構成している。
【００２３】
なお、各枠体２ａ、２ｂと支持材３との連結方法として、溶接などによって完全に固定して、前記したような、枠組足場Ａの長手側の側面専用と、枠組足場Ａのコーナー専用とを別個に作製して、それぞれを設置現場に応じて用意するようにしても良いが、各枠体２ａ、２ｂと支持材３とをボルトなどで締結するようにすれば、設置現場に応じてその場で枠組足場Ａの長手側の側面専用と、枠組足場Ａのコーナー専用とをそれぞれ必要な数だけ簡単に用意できると共に、運搬の際に解体することで嵩張らずに運搬コストを抑えることができ、また修理の際にも解体することで一部分のみを交換することができて好適である。
【００２４】
また、前記支持材３には、建枠Ｂの脚柱Ｃを左右両側より覆うように挟持し、脚柱Ｃに沿って昇降自在とする一対のガイドローラ４を水平に配置してそれぞれ回動自在に軸着している。前記ガイドローラ４は、図７乃至図１０に示すように、鼓形状をなすローラ体であって、その曲面部が脚柱Ｃの外周面と略一致するように構成していると共に、その内側端部には周縁の一部を切り欠いて形成した溝部５を複数備えている。
【００２５】
そして、手摺枠１、１´を昇降する際にガイドローラ４が横架材Ｄ位置に差し掛かったときには、図１０に示すように、建枠Ｂの横架材Ｄが前記溝部５へと嵌り込み、その状態で一対のガイドローラ４が互いに内回り向きに回動することによりそのまま通過できる構成としており、手摺枠１、１´の昇降中におけるガイドローラ４の内側端部と建枠Ｂの横架材Ｄとの干渉を回避可能としている。
【００２６】
図中の６は、ガイドローラ４に備えた溝位置保持手段である重りであって、該重り６は溝部５の開口位置が丁度建枠Ｂの横架材Ｄと合致するように調整した状態で備えており、手摺枠１、１´の昇降に伴ってガイドローラ４を回動させることなく、溝部５の開口位置を保持しながら脚柱Ｃに沿って摺動させ、ガイドローラ４が横架材Ｄ位置に差し掛かったときには、溝部５以外の突出部が横架材Ｄと突っかかることのないように確実に横架材Ｄを溝部５へと案内して、常にスムーズな手摺枠１、１´の昇降を実現できるように図っている。また、ガイドローラ４が横架材Ｄ位置を通過すると、横架材Ｄはガイドローラ４の溝部５を離脱し、重り６によってガイドローラ４は回動して初期位置に復帰する構造としている。
【００２７】
なお、本実施例においては、溝位置保持手段として図に示すような形状の重り６を採用しているが、別段これに限定するものではなく、例えば、ガイドローラ４そのものに重りを内蔵させるようにしたものなど様々な手法を採用することができる。また、本実施例においては、ガイドローラ４の内側端部には溝部５を円周に沿って等間隔にて四つ形成したものを採用しているが、この形状に限定するものではなく、例えば、溝位置保持手段によって溝部５の位置を保持できるのであれば、別の実施例を採用した図１１に示すように、手摺枠１、１´上昇時専用の溝部５ａと下降時専用の溝部５ｂの二つのみを形成したものなど様々な形状のものを採用することができる。更に、他の溝位置保持手段として、図示はしないが、重り６に代えてバネ体などの付勢手段を採用し、ガイドローラ４周端部と各枠体２ａ、２ｂ、或いは支持材３とをバネ体などで連結し、通常時はバネ体などの付勢力にてガイドローラ４が図９に示す位置を保持するようにしておき、昇降時には前記と同様に回動させ、ガイドローラ４が横架材Ｄ位置を通過すると、バネ体が縮むことでガイドローラ４を図９の初期位置に復帰させるようにしたものでも良い。
【００２８】
図中の７は、手摺枠１、１´を建枠Ｂの横架材Ｄに係止するための係止手段である係止部材であって、図１２乃至図１６に示すように、各枠体２ａ、２ｂの内側の垂直管に係止片８を上下方向へ回動自在に備え、該係止片８の略中央部には上位より吊り下げたバネ体９の一端部を固着すると共に、該バネ体９の他端部を係止片８の上位に備えたロック金具１０に係止させている。
【００２９】
そして、通常時は、バネ体９の付勢力により、係止片８は図１２乃至図１４に示すような建枠Ｂの横架材Ｄへの係止位置を保持し、その先端部の係止部１１にて横架材Ｄの上面側に係止させている。そして、手摺枠１、１´を上段の足場へ移設するときには、係止片８の上端側が建枠Ｂの横架材Ｄに当接すると、図１５に示すように、係止片８は下方へ回動して横架材Ｄを回避する。そして、完全に横架材Ｄ位置を通り過ぎると、バネ体９の復元力により、係止片８は図１２乃至図１４で示した元の位置へと直ちに復帰し、建枠Ｂの横架材Ｄに係止可能となる。なお、係止片８は上方へ最大に回動したときでも、回動規制用の板体１２に当接し、図１２及び図１４に示した水平位置よりも上方へ回動しないように規制している。
【００３０】
一方、手摺枠１、１´を下段の足場へ移設するときには、前記ロック金具１０のロックを解除して、係止片８を図１６に示す位置まで下降させる。そして、この状態のまま手摺枠１、１´を下方へ移動させれば、係止片８は横架材Ｄなどを回避でき、回避後、ロック金具１０のロックを再び掛けて係止片８を元の位置に復帰させ、下段の建枠Ｂの横架材Ｄに係止させる。
【００３１】
また、図中の１３は、側方に隣り合う手摺枠１、１´同士を係合させて、各手摺枠１、１´の振れ止めを図るための振れ止め板であって、図１７及び図１８に示すように、隣り合う手摺枠１の内、一方の垂直管の側方に複数の支持部１４を固着し、該支持部１４にて軸支した軸体１５の前後端にそれぞれ振れ止め板１３を固着しており、これらの振れ止め板１３の間に他方の手摺枠１の垂直管を係合させている。したがって、各手摺枠１、１´同士でお互いに振れ動くのを抑制可能としている。
【００３２】
なお、本実施例においては、振れ止めを図るために円盤状の振れ止め板１３を採用しているが、これに限定するものではなく、例えば、一方の垂直管の側方に、断面略コ字形状のチャンネルを固着し、その開放部に他方の垂直管を係合させるようにしたものなど様々な形状のものを採用することができる。
【００３３】
しかして、この手摺枠１、１´を枠組足場Ａに取り付ける場合には、先ず、手摺枠１、１´中央部に備えた各ガイドローラ４間に建枠Ｂの脚柱Ｃを係合させるように、脚柱Ｃ上方側より手摺枠１、１´を嵌め入れて下方へ摺動させていき、係止片８の係止部１１を建枠Ｂの横架材Ｄに係止させる。
【００３４】
次に、枠組足場Ａを上方へ積み上げるときには、先ず、手摺枠１、１´を上段へ移設する。作業員は手摺枠１、１´の枠体２ａ、２ｂを手にとり、脚柱Ｃに沿ってそのまま上方へ押し上げていく。このとき、上昇の途中で係止片８及びガイドローラ４が建枠Ｂの横架材Ｄに当接するが、係止片８は下方へと回動して横架材Ｄを回避する一方、ガイドローラ４はそれ自身に形成した溝部５に横架材Ｄを嵌め入れながら互いに内回り向きに回動して横架材Ｄを回避する。そして、横架材Ｄを回避した係止片８及びガイドローラ４は、それぞれバネ体９と重り６によって元の位置に自動的に復帰する。そして、そのまま手摺枠１、１´を下方へ降ろすと、係止片８は上段側の建枠Ｂの横架材Ｄを係止し、上段の足場側部への手摺枠１、１´の移設を完了する。こうして、安全を確保した後、上段の足場板Ｅを設置し、上段の足場へと上がって建枠Ｂを設置して枠組足場Ａを組み上げていくのである。
【００３５】
一方、枠組足場Ａを解体するときには、最上段の手摺枠１、１´を残したままで、安全を確保しながら最上段の足場を解体していく。そして、最上段の足場の解体を終えると、下段の足場に移って最上段に残した手摺枠１、１´を引き下げる。このとき、予め係止部材７のロック金具１０のロックを解除して係止片８を下方へと回動させて、建枠Ｂの横架材Ｄと干渉しないように回避させておく。したがって、下降の途中ではガイドローラ４のみが建枠Ｂの横架材Ｄに当接するが、上昇時と同様に、ガイドローラ４に形成した溝部５によって横架材Ｄを回避する。そして、横架材Ｄを回避したガイドローラ４は元の位置に自動的に復帰する一方、係止片８の方はロック金具１０のロックを再度掛け直して水平位置に復帰させ、手摺枠１、１´をそのまま下方へ降ろすと、係止片８は下段側の建枠Ｂの横架材Ｄを係止し、下段の足場側部への手摺枠１、１´の移設を完了する。これで足回りに手摺枠１、１´が設置されるので、前記と同様にして安全を確保しながらその段の解体作業を行っていく。
【００３６】
このように、手摺枠１、１´の上段への移設は手で持ち上げるだけで良く、また、下段への移設もロック金具１０の操作の後に引き下げるだけなので、一人の作業員でも容易に、かつ効率良く作業を行うことができる。そして、その移設の際の手摺枠１、１´の昇降作業時などにおいても、常に十分な係止力にて建枠Ｂの脚柱Ｃへ係止させることができ、枠組足場Ａからの脱落を確実に防止することを可能としている。また、略Ｌ字形状に形成した手摺枠１´によって、枠組足場Ａのコーナー部などに対しても容易にかつ好適に対応可能としている。
【００３７】
【発明の効果】
以上のように本発明に係る請求項１記載の枠組足場用手摺枠によれば、建枠を上方向並びに水平方向に所望数配置して組み上げる枠組足場の側面に設置する枠組足場用手摺枠であって、手摺枠の幅方向の中央部には、建枠の脚柱を左右両側より覆うように挟持して脚柱に沿って昇降自在とする一対の鼓形のガイドローラを、上下方向に所定間隔をおいて複数組備えると共に、前記各ガイドローラの内側端部には、手摺枠を昇降する際にガイドローラの端部と建枠の横架材とが干渉し合うのを回避する溝部を形成する一方、ガイドローラの上位または下位には、建枠の横架材へ係脱自在に係止する係止手段を備えたので、手摺枠と枠組足場とは十分な係止力によって確実に係止され、間違ってもガイドローラが外れて脱落してしまうようなおそれはない。また、その装置構成も、ごくシンプルなものであるので、コスト的にも有利である。
【００３８】
また、請求項２記載の枠組足場用手摺枠によれば、前記手摺枠は、隣接する建枠間の長さの略半分程度の幅を有する枠体を一対連設すると共に、各枠体同士を前記一対のガイドローラをそれぞれ回動自在に支持する支持材により所定角度にて連結固定してなるので、枠組足場の長手側の側面に対してだけでなく、枠組足場のコーナー部などに対しても容易に手摺を設置することができ、作業能率を低下させることなく作業安全性の向上を図ることができる。
【００３９】
また、請求項３記載の枠組足場用手摺枠によれば、前記ガイドローラには、手摺枠を昇降する際に前記溝部の開口位置を建枠の横架材と合致させるように保持させる溝位置保持手段を備えたので、溝部の開口位置を建枠の横架材と合致するように保持でき、確実に横架材を溝部へと案内して、常にスムーズな手摺枠の昇降を可能とする。
【図面の簡単な説明】
【図１】本発明に係る枠組足場用手摺枠を枠組足場に取り付けた状態を示す正面図である。
【図２】図１の側面図である。
【図３】図１における手摺枠部分の拡大図である。
【図４】図３の側面図である。
【図５】図３の平面図である。
【図６】図３の要部拡大図である。
【図７】ガイドローラ部分の一部切り欠き拡大正面図である。
【図８】図７のＶ−Ｖ断面図である。
【図９】図８のＷ−Ｗ断面図である。
【図１０】手摺枠を昇降させる際に、ガイドローラが建枠の横架材を回避する状態を示す図９に相当する図である。
【図１１】別の実施例のガイドローラを採用した図９に相当する図である。
【図１２】係止部材部分の拡大正面図である。
【図１３】図１２のＸ−Ｘ断面図である。
【図１４】図１３のＹ−Ｙ断面図である。
【図１５】手摺枠を上昇させる際に、係止片が建枠の横架材を回避する状態を示す図１４に相当する図である。
【図１６】手摺枠を下降させる際に、ロック金具のロックを解除して係止片を下方へ回動させて建枠の横架材を回避する状態を示す図１４に相当する図である。
【図１７】振れ止め板部分の拡大正面図である。
【図１８】図１７のＺ−Ｚ断面図である。
【図１９】従来例を示す、図１に相当する図である。
【図２０】従来例を示す、図２に相当する図である。
【図２１】従来例を示す、図３に相当する図である。
【図２２】従来例のストッパ部分を説明する図である。
【符号の説明】
１、１´…手摺枠              ２ａ、２ｂ…枠体
３…支持材                    ４…ガイドローラ
５…溝部                      ６…重り（溝位置保持手段）
７…係止部材（係止手段）
Ａ…枠組足場                  Ｂ…建枠
Ｃ…脚柱                      Ｄ…横架材
Ｅ…足場板                    Ｆ…筋交い
【図１】
2004225253.tif 000003
【図２】
2004225253.tif 000004
【図３】
2004225253.tif 000005
【図４】
2004225253.tif 000006
【図５】
2004225253.tif 000007
【図６】
2004225253.tif 000008
【図７】
2004225253.tif 000009
【図８】
2004225253.tif 000010
【図９】
2004225253.tif 000011
【図１０】
2004225253.tif 000012
【図１１】
2004225253.tif 000013
【図１２】
2004225253.tif 000014
【図１３】
2004225253.tif 000015
【図１４】
2004225253.tif 000016
【図１５】
2004225253.tif 000017
【図１６】
2004225253.tif 000018
【図１７】
2004225253.tif 000019
【図１８】
2004225253.tif 000020
【図１９】
2004225253.tif 000021
【図２０】
2004225253.tif 000022
【図２１】
2004225253.tif 000023
【図２２】
2004225253.tif 000024